【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
割出し可能な切削インサート（２０、１２０、２２０）であって、
対向する上面および下面（２２、２４）であって、その間に延在する周面（２６）およびインサート軸（Ａ１）を有する、上面および下面（２２、２４）を備え、
前記周面（２６）は、前記上面（２２）と交差して、連続した上部周縁（２８）を形成し、４つのインサートコーナー面（３２）と交互に配置された４つのインサート側面（３０）を含み、
各インサート側面（３０）は前記上面（２２）と交差して側部切れ刃（４０）を形成し、各インサートコーナー面（３２）は上面（２２）と交差して湾曲したコーナー切れ刃（４２）を形成し、
各側部切れ刃（４０）は、第一の端点（Ｎ１）で前記コーナー切れ刃（４２）の１つに隣接する一次切れ刃（４６）と、第二の端点（Ｎ２）で前記コーナー切れ刃（４２）の別の１つに隣接する二次切れ刃（４８）を含み、
前記インサート軸（Ａ１）に沿った前記切削インサート（２０、１２０、２２０）の上面図において、
前記上面（２２）は、真っ直ぐな前記４つの一次切れ刃（４６）のそれぞれとともに、正方形の形状であり、前記４つの一次切れ刃は仮想第一の正方形（Ｓ１）の４つの側面を画定し、
各一次切れ刃（４６）は、その隣接するコーナー切れ刃（４２）に接し、
各二次切れ刃（４８）は、連続的に湾曲し、全体が前記仮想第一の正方形の４辺を二等分する２つの相互に垂直な仮想線によって定義される４つの仮想象限（Ｑ１、Ｑ２、Ｑ３、Ｑ４）の対応する１つに完全に配置される、割出し可能な切削インサート（２０、１２０、２２０）。
【請求項２】
各コーナー切れ刃（４２）は、連続的に湾曲し、一定の第一の曲率半径（Ｒ１）および第一の半径方向中心点（Ｃ１）を有し、
各連続的に湾曲した二次切れ刃（４８）は、一定の第二の曲率半径（Ｒ２）を有し、
前記第二の曲率半径（Ｒ２）は、前記第一の曲率半径（Ｒ１）よりも大きい、請求項１に記載の切削インサート（２０、１２０、２２０）。
【請求項３】
前記第二の曲率半径（Ｒ２）は、前記第一の曲率半径（Ｒ１）の少なくとも３倍大きく、最大で１０倍大きい、請求項２に記載の切削インサート（２０、１２０、２２０）。
【請求項４】
前記上面図において、
前記４つの第一の半径方向中心点（Ｃ１）は、仮想第二の正方形（Ｓ２）の４つのコーナーを画定し、
前記仮想第一の正方形（Ｓ１）は、第一のオフセット角（θ１）だけ前記仮想第二の正方形（Ｓ２）から回転方向にオフセットされる、請求項２または請求項３に記載の切削インサート（２０、１２０、２２０）。
【請求項５】
各インサート側面（３０）は、前記上面（２２）と交差するインサート側部逃げ面（５０）と、前記インサート側部逃げ面（５０）と前記下面（２４）との間にあるインサート側部当接面（５２）とを有し、
前記インサート軸（Ａ１）に垂直でかつ前記４つのインサート側部当接面（５２）と交差する第二の平面（Ｐ２）で取られた断面において、前記４つのインサート側部当接面（５２）は、仮想第三の正方形（Ｓ３）の４辺を規定する、請求項１〜４のいずれか一項に記載の切削インサート（２０、１２０、２２０）。
【請求項６】
前記仮想第一の正方形（Ｓ１）は、第二のオフセット角（θ２）だけ前記仮想第三の正方形（Ｓ３）から回転方向にオフセットされる、請求項５に記載の切削インサート（２０、１２０、２２０）。
【請求項７】
各インサート側部逃げ面（５０）は、その関連する一次切れ刃（４６）に隣接する一次逃げ面（５４）と、その関連する二次切れ刃（４８）に隣接する二次逃げ面（５６）とを含み、
各一次逃げ面（５４）は平坦であり、各二次逃げ面（５６）は凸状である、請求項５または請求項６に記載の切削インサート（２０、１２０、２２０）。
【請求項８】
前記上面図において、
第一の仮想直線（Ｌ１）は、前記第二の端点（Ｎ２）の１つを含み、その関連する二次切れ刃（４８）および前記隣接するコーナー切れ刃（４２）の両方に接し、
前記第一の仮想直線（Ｌ１）は、その関連する二次切れ刃（４８）と同じ側部切れ刃（４０）に含まれる前記一次切れ刃（４６）とともに鋭角の一次切削角（α１）を形成する、請求項１〜７のいずれか一項に記載の切削インサート（２０、１２０、２２０）。
【請求項９】
前記一次切削角（α１）が少なくとも５°であり、かつ最大で１５°である、請求項８に記載の切削インサート（２０、１２０、２２０）。
【請求項１０】
前記上部周縁（２８）の全体が第一の平面（Ｐ１）内に含まれる、請求項１〜９のいずれか一項に記載の切削インサート（２０、１２０、２２０）。
【請求項１１】
前記上面図において、
各一次切れ刃（４６）は、遷移点（ΝＴ）で同じ側部切れ刃（４０）に含まれる前記二次切れ刃（４８）に接線方向に隣接する、請求項１〜１０のいずれか一項に記載の切削インサート（２０、１２０、２２０）。
【請求項１２】
前後方向（ＤＦ、ＤＲ）を画定する工具軸（ＡＴ）の周りに回転可能な回転切削工具（５８）であって、
少なくとも１つのインサート収容ポケット（６２）有する切削本体（６０）であって、前記少なくとも１つのインサート収容ポケット（６２）は、前記切削本体（６０）の前端面（６４）で開口する、切削本体（６０）と、
前記インサート収容ポケット（６２）内に取り外し可能に固定された少なくとも１つの割出し可能な切削インサート（２０、１２０、２２０）と、を備え、
前記切削インサート（２０、１２０、２２０）は、
対向する上面および下面（２２、２４）であって、その間に延在する周面（２６）およびインサート軸（Ａ１）を有する、上面および下面（２２、２４）を備え、
前記インサート軸（Ａ１）と同軸の貫通孔（４４）が前記上面及び前記下面（２２、２４）と交差し、
前記周面（２６）は、前記上面（２２）と交差して、連続した上部周縁（２８）を形成し、４つのインサートコーナー面（３２）と交互に配置された４つのインサート側面（３０）を含み、
各インサート側面（３０）は、前記上面（２２）と交差して側部切れ刃（４０）を形成し、各インサートコーナー面（３２）は、上面（２２）と交差して湾曲したコーナー切れ刃（４２）を形成し、
各側部切れ刃（４０）は、第一の端点（Ｎ１）で前記コーナー切れ刃（４２）の１つに隣接する一次切れ刃（４６）と、第二の端点（Ｎ２）で前記コーナー切れ刃（４２）の別の１つに隣接する二次切れ刃（４８）と、を含み、
前記インサート軸（Ａ１）に沿った前記切削インサート（２０、１２０、２２０）の上面図において、
前記上面（２２）は、真っ直ぐな前記４つの一次切れ刃（４６）のそれぞれとともに、正方形の形状であり、前記４つの一次切れ刃は仮想第一の正方形（Ｓ１）の４つの側面を画定し、
各一次切れ刃（４６）は、その隣接するコーナー切れ刃（４２）に接し、
各二次切れ刃（４８）は、連続的に湾曲し、全体が前記仮想第一の正方形の４辺を二等分する２つの相互に垂直な仮想線によって定義される４つの仮想象限（Ｑ１、Ｑ２、Ｑ３、Ｑ４）の対応する１つに完全に配置される、回転切削工具（５８）。
【請求項１３】
前記上部周縁（２８）の全体が第一の平面（Ｐ１）内に含まれる、請求項１２に記載の回転切削工具（５８）。
【請求項１４】
各一次切れ刃（４６）は、遷移点（ΝＴ）で同じ側部切れ刃（４０）に含まれる前記二次切れ刃（４８）に接線方向に隣接する、請求項１２又は１３に記載の回転切削工具（５８）。
【請求項１５】
前記切削インサート（２０、１２０、２２０）の側面図において、各一次切れ刃（４６）は真っ直ぐである、請求項１２〜１４のいずれか一項に記載の回転切削工具（５８）。
【請求項１６】
各一次切れ刃（４６）は、４つの仮想象限（Ｑ１、Ｑ２、Ｑ３、Ｑ４）のうちの２つを横切って延びる、請求項１２〜１５のいずれか一項に記載の回転切削工具（５８）。
【請求項１７】
第一の作動二次切れ刃（４８’）は、その関連する上部周縁（２８）の軸方向最前点（ＮＡ）を含む、請求項１２〜１６のいずれか一項に記載の回転切削工具（５８）。
【請求項１８】
第二の作動二次切れ刃（４８”）は、その関連する上部周縁（２８）の半径方向最外点（ＮＲ）を含む、請求項１７に記載の回転切削工具（５８）。
【請求項１９】
第一の作動一次切れ刃（４６’）は、前記第一の作動二次切れ刃（４８’）と同じ側部切れ刃（４０）に含まれ、前記工具軸（ＡＴ）に垂直な半径方向平面（ＰＲ）に対してリード角（γ１）で傾斜し、
前記リード角（γ１）は少なくとも５°で、最大で１５°である、請求項１７または１８に記載の回転切削工具（５８）。
【請求項２０】
各インサート収容ポケット（６２）は、ベース面（６６）と、それを横切る第一および第二のポケット壁（６８，７０）と、を有し、前記第一のポケット壁（６８）は軸方向支持面（７２ａ，７２ｂ）を有し、前記第二のポケット壁（７０）は半径方向支持面（７４）を有し、
各インサート側面（３０）は、前記上面（２２）と交差するインサート側部逃げ面（５０）と、前記インサート側部逃げ面（５０）と前記下面（２４）との間にインサート側部当接面（５２）と、を有し、
第一のインサート側部当接面（５２）は、前記第一のポケット壁の軸方向支持面（７２ａ，７２ｂ）に当接し、円周方向に隣接する第二のインサート側部当接面（５２）は、前記第二のポケット壁の半径方向支持面（７４）に当接する、請求項１７〜１９のいずれか一項に記載の回転切削工具（５８）。